(57)【特許請求の範囲】
【請求項１】
操作部を備えた操作部側筺体と、表示部を備えた表示部側筐体とがヒンジ機構によって折り畳み可能に連結された折り畳み式携帯端末において、
前記ヒンジ機構は、前記操作部側筺体に対して折り畳む方向あるいは開く方向に前記表示部側筐体を回転させるための第１の回転軸を前記表示部側筺体の略中央部に配設した第１のヒンジ部と、前記表示部側筐体に対して折り畳む方向あるいは開く方向に前記操作部側筐体を回転させるための第２の回転軸を前記第１の回転軸に平行させて前記操作部側筺体の略上端部に配設した第２のヒンジ部と、前記表示部側筐体の側面に設けられた前記第１の回転軸の両端と前記操作部側筐体の側面に設けられた前記第２の回転軸の両端とをそれぞれ連結する２つの連結手段とを備え、
前記ヒンジ機構によって前記表示部，前記操作部のいずれか一方を外側に向けて折り畳み可能とし、且つ、両方を外側に向けて折り畳み可能としたことを特徴とする折り畳み式携帯端末。
【請求項２】
請求項１に記載の折り畳み式携帯端末において、前記操作部側筺体は、前記操作部を設けた面に撮像手段を備えたことを特徴とする折り畳み式携帯端末。
【請求項３】
請求項１に記載の折り畳み式携帯端末において、前記操作部側筺体は、前記操作部を設けた面と反対側の面に撮像手段を備えたことを特徴とする折り畳み式携帯端末。
【請求項４】
請求項１に記載の折り畳み式携帯端末において、前記操作部側筐体は、該操作部側筐体に対して前記表示部側筐体を折り畳む方向あるいは開く方向に回転可能な撮像手段を上端部に備えたことを特徴とする折り畳み式携帯端末。
【請求項５】
請求項１に記載の折り畳み式携帯端末において、前記表示部側筐体は、前記操作部側筐体に対して前記表示部側筐体を折り畳む方向あるいは開く方向に回転可能な撮像手段を備えたことを特徴とする折り畳み式携帯端末。
【請求項６】
請求項１乃至５のいずれか１に記載の折り畳み式携帯端末において、該折り畳み式携帯端末の操作を行うための操作手段を前記操作部側筺体又は前記表示部側筺体の側面に備えたことを特徴とする折り畳み式携帯端末。
【発明の詳細な説明】
【技術分野】
【０００１】
本発明は、折り畳み式携帯端末、より詳細には、使用状況によって様々な形状、スタイルをとることを可能にした折り畳み式携帯端末に関する。
【背景技術】
【０００２】
現在、様々な構造の折り畳み式携帯端末が普及している。通常の折り畳み式携帯端末では、使用しないときは表示部と操作部が内側に隠れるように閉じられ、通話や電子メールなどを利用する際に開いて使用するような構造となっている。この場合には、閉じられたときに表示部が隠れてしまうため、多数の折り畳み式携帯端末は閉じた状態でも着信情報や時刻などを確認できるようにサブ表示部を装備している。また、折り畳み式携帯端末においてテレビ電話機能を使用するために、筺体の外側に備えられた写真や動画撮影用のメインカメラとは別に、筺体の内側にサブカメラを装備したものも多数存在している。さらに、上記サブ表示部を不要にするために、メイン表示部を外側にして閉じることが可能な構造とした折り畳み式携帯端末なども登場している。【０００３】
しかしながら、上記サブ表示部を設けた折り畳み式携帯端末は、サブ表示部を付加することで端末サイズの小型化の妨げとなる上に、コスト的にも高いものになってしまう。また、この折り畳み式携帯端末によりテレビ電話機能を利用する場合には、筺体外側に備えられた撮影用のメインカメラとは別に筺体内側にサブカメラを設ける必要があり、この場合も同様に端末サイズの小型化の妨げとなる上に、コスト的にも高いものになってしまう。また、メインカメラ１つで構成する場合でも、筐体の外側あるいは内側に向くようにメインカメラに回転機構を設ける必要があり、やはりコスト的には高くなる。さらには、携帯端末をテレビとして使用する場合、表示画面を横にする必要があり、通常の折り畳み式携帯端末ではテレビを見るスタイルとしては不自然である。【０００４】
また、サブ表示部を不要にするために、メイン表示部を外側にして閉じることが可能な構成とした折り畳み式携帯端末においても、操作部は内側に折り畳まれており、閉じた状態で携帯端末を操作することはできない。例えば、閉じたまま通話することができず、通話するためには必ず折り畳み式携帯端末を開けるか、または別に閉じた状態でも操作可能な通話ボタンを設ける必要が生じる。【０００５】
ここで、下記の特許文献１や特許文献２には、操作部を備えた操作部側筐体に対して、表示部を備えた表示部側筐体を３６０度開くことが可能な構造にすることにより、表示部及び操作部ともに外側にして閉じられるようにした折り畳み式携帯端末が開示されている。
【特許文献１】特開２００２−１７１３２４号公報
【特許文献２】特開２００２−１９８８４９号公報
【発明の開示】
【発明が解決しようとする課題】
【０００６】
しかしながら、上記特許文献１や特許文献２に記載の折り畳み式携帯端末は、操作部側筐体と、表示部側筐体とを互いに３６０度開くことが可能な構造にしたことで、表示部と操作部ともに外側にして閉じることができる一方、操作部を内側に、表示部を外側にして閉じることはできない構造になっている。このため、例えば、ユーザが表示部を外側にして閉じて持ち歩くときに外側の操作部を誤って操作してしまう恐れがある。【０００７】
本発明は、上述のごとき実情に鑑みてなされたものであり、操作部を備えた操作部側筐体と、表示部を備えた表示部側筐体とがヒンジ機構によって折り畳み可能に連結された折り畳み式携帯端末において、折り畳み時に操作部を操作したり、表示部を見ることができる折り畳み構造を有し、該折り畳み構造により電話，電子メール，テレビ電話，テレビ，デジタルカメラ等の様々な機能の利用状況に応じて所望の形状に変化させることができる折り畳み式携帯端末を提供すること、を目的としてなされたものである。
【課題を解決するための手段】
【０００８】
上記課題を解決するために、第１の技術手段は、操作部を備えた操作部側筺体と、表示部を備えた表示部側筐体とがヒンジ機構によって折り畳み可能に連結された折り畳み式携帯端末において、前記ヒンジ機構は、前記操作部側筺体に対して折り畳む方向あるいは開く方向に前記表示部側筐体を回転させるための第１の回転軸を前記表示部側筺体の略中央部に配設した第１のヒンジ部と、前記表示部側筐体に対して折り畳む方向あるいは開く方向に前記操作部側筐体を回転させるための第２の回転軸を前記第１の回転軸に平行させて前記操作部側筺体の略上端部に配設した第２のヒンジ部と、前記表示部側筐体の側面に設けられた前記第１の回転軸の両端と前記操作部側筐体の側面に設けられた前記第２の回転軸の両端とをそれぞれ連結する２つの連結手段とを備え、前記ヒンジ機構によって前記表示部，前記操作部のいずれか一方を外側に向けて折り畳み可能とし、且つ、両方を外側に向けて折り畳み可能としたことを特徴としたものである。
【００１０】
第２の技術手段は、第１の技術手段において、前記操作部側筺体は、前記操作部を設けた面に撮像手段を備えたことを特徴としたものである。
【００１１】
第３の技術手段は、第１の技術手段において、前記操作部側筺体は、前記操作部を設けた面と反対側の面に撮像手段を備えたことを特徴としたものである。
【００１２】
第４の技術手段は、第１の技術手段において、前記操作部側筐体は、該操作部側筐体に対して前記表示部側筐体を折り畳む方向あるいは開く方向に回転可能な撮像手段を上端部に備えたことを特徴としたものである。
【００１３】
第５の技術手段は、第１の技術手段において、前記表示部側筐体は、前記操作部側筐体に対して前記表示部側筐体を折り畳む方向あるいは開く方向に回転可能な撮像手段を備えたことを特徴としたものである。
【００１４】
第６の技術手段は、第１乃至第５のいずれか１の技術手段において、該折り畳み式携帯端末の操作を行うための操作手段を前記操作部側筺体又は前記表示部側筺体の側面に備えたことを特徴としたものである。
【発明の効果】
【００１５】
操作部を備えた操作部側筐体と、表示部を備えた表示部側筐体とがヒンジ機構によって折り畳み可能に連結された折り畳み式携帯端末において、折り畳み時に操作部を操作したり、表示部を見ることができる折り畳み構造を有し、該折り畳み構造により電話，電子メール，テレビ電話，テレビ，デジタルカメラ等の様々な機能の利用状況に応じて所望の形状に変化させることができる折り畳み式携帯端末を提供することができる。
【図面の簡単な説明】
【００１６】
【図１】本発明の第１の実施形態に係る折り畳み式携帯端末の概観図である。
【図２】図１に示した折り畳み式携帯端末に設けられた第１のヒンジ部及び第２のヒンジ部の構造を説明するための断面図である。
【図３】図１に示した折り畳み式携帯端末を開いた状態で側面から見た概観図である。
【図４】図１に示した折り畳み式携帯端末を閉じた状態で側面から見た概観図である。
【図５】本発明の第２の実施形態に係る折り畳み式携帯端末の概観図である。
【図６】図５に示した折り畳み式携帯端末を閉じた状態で側面から見た概観図である。
【図７】本発明の第３の実施形態に係る折り畳み式携帯端末の概観図である。
【図８】折り畳み式携帯端末の使用スタイルの一例を示した図である。
【符号の説明】
【００１７】
１…折り畳み式携帯端末、１０…表示部側筺体、１１…表示部、１２…第１のヒンジ部、１２ａ，１２ｂ…第１のヒンジ部材、１３ａ，１３ｂ…連結手段、２０…操作部側筺体、２１…操作部、２２，２５，２６…カメラ、２３…操作ボタン、２４…第２のヒンジ部、２４ａ，２４ｂ…第２のヒンジ部材、３０…台、４０ａ，４０ｂ…ケーブル、４１…第１の回転軸、４２…第２の回転軸。
【発明を実施するための最良の形態】
【００１８】
（第１の実施形態）
図１は、本発明の第１の実施形態に係る折り畳み式携帯端末の概観図で、図中、１は折り畳み式携帯端末で、折り畳み式携帯端末１は、表示部を備えた表示部側筐体１０と、操作部を備えた操作部側筐体２０を有する。表示部側筺体１０は、様々な情報を表示するための液晶などの表示部１１を有する筺体である。操作部側筺体２０は、折り畳み式携帯端末１の様々な操作を行うための操作部２１を有する筺体である。表示部側筺体１０の略中央部には、操作部側筐体２０に対して表示部側筐体１０を折り畳む方向あるいは開く方向に回転する第１のヒンジ部１２が設けられ、操作部側筺体２０の略上端部には、第１のヒンジ部１２と平行な第２のヒンジ部２４が回転可能に設けられている。第１のヒンジ部１２と第２のヒンジ部２４の両端は連結手段１３ａ，１３ｂで連結されている。また、写真撮影，動画撮影，テレビ電話などに使用するカメラ２２が操作部側筺体２０側に取り付けられており、シャッターボタンなどカメラ操作やその他の操作に使用するための操作ボタン２３が操作部側筺体２０の側面に取り付けられている。尚、操作ボタン２３は、複数個取り付けることが可能であるが、本実施形態では１個だけ取り付けた状態を代表例として示している。【００１９】
ここで、別の実施形態として、表示部側筺体１０の略下端部に、操作部側筐体２０に対して表示部側筐体１０を折り畳む方向あるいは開く方向に回転する第１のヒンジ部１２を設け、操作部側筺体２０の略中央部に、第１のヒンジ部１２と平行な第２のヒンジ部２４を回転可能に設けるようにしてもよい。この場合も、上記と同様に第１のヒンジ部１２と第２のヒンジ部２４の両端が連結手段１３ａ，１３ｂで連結される。【００２０】
図２は、図１に示した折り畳み式携帯端末１に設けられた第１のヒンジ部１２及び第２のヒンジ部２４の構造を説明するための断面図である。図２（Ａ）は、折り畳み式携帯端末１を正面から見たときの第１のヒンジ部１２及び第２のヒンジ部２４を示す断面図で、図２（Ｂ）は、折り畳み式携帯端末１を側面から見たときの第１のヒンジ部１２及び第２のヒンジ部２４を示す断面図である。
図２（Ａ）及び図２（Ｂ）において、表示部側筺体１０と操作部側筺体２０との電気接続は、ケーブル４０ａ，ケーブル４０ｂにより接続されている。表示部側筺体１０の略中心部に位置する第１のヒンジ部１２は、図２（Ａ）に示したように、左右対称に配置された第１のヒンジ部材１２ａ，１２ｂ及び第１の回転軸４１から構成されている。【００２１】
また、図２（Ｂ）に示すように、第１のヒンジ部材１２ａ及び第１の回転軸４１の断面はドーナツ形状になっており、そのドーナツの穴にケーブル４０ａが通される。同様に、第１のヒンジ部材１２ｂ及び第１の回転軸４１の断面はドーナツ形状になっており、そのドーナツの穴にケーブル４０ｂが通される。このため、回転するときは第１のヒンジ部材１２ａ，１２ｂ及び第１の回転軸４１のみ回転し、ケーブル４０ａ及び４０ｂは回転しない構造となっている。なお、後述するように第１のヒンジ部１２は１８０度程度回転する構造となっており、図２（Ｂ）に示すように、第１のヒンジ部材１２ａ，１２ｂ周辺のケーブル４０ａ及び４０ｂは１８０度程度回転可能なようにたるみを持たせている。【００２２】
また、図２（Ａ）に示すように、操作部側筺体２０の略上端部に位置する第２のヒンジ部２４は、左右対称に配置された第２のヒンジ部材２４ａ，２４ｂ及び第２の回転軸４２から構成されている。第２のヒンジ部２４の構造は、上述した第１のヒンジ部１２と同様の構造となっている。但し、後述するように第２のヒンジ部２４は３６０度程度回転する構造となっており、図２（Ｂ）に示すように、第２のヒンジ部材２４ａ，２４ｂ周辺のケーブル４０ａ及び４０ｂは３６０度程度回転可能なように、上記第１のヒンジ部材１２ａ，１２ｂよりもさらに余分のたるみを持たせている。【００２３】
また、表示部側筺体１０の略中心部に配置された第１のヒンジ部１２、操作部側筺体２０の略上端部に配置された第２のヒンジ部２４は、それぞれある程度ヒンジの回転に抵抗を加えることにより、折り畳み式携帯端末１を任意の回転角度で保持して使用することが可能なフリーストップ構造を有している。但し、よく使用される形状，スタイルに応じた回転角度で保持されるように回転角度毎にストッパ部材を設け、その形状，スタイルで回転角度を保持するようにしてもよい。【００２４】
図３（Ａ）乃至図３（Ｃ）は、図１に示した折り畳み式携帯端末１を開いた状態で側面から見た概観図である。例えば、電話，電子メール，Ｗｅｂサイトの閲覧などの通常使用時においては、図３（Ａ）に示したように、表示部側筐体１０及び操作部側筐体２０を互いに開いたスタイルで使用する。また、本実施形態の折り畳み式携帯端末１は、操作部側筐体２０側にカメラ２２が取り付けられているため、ユーザが自分自身の撮影や、手に持ってテレビ電話を使用するような場合も同様に図３（Ａ）に示すスタイルで使用することができる。この際、カメラ２２を表示部側筐体１０側に取り付けるようにしてもよい。【００２５】
また、図３（Ｂ）に示すように、表示部側筺体１０は、該筺体の略中央部に取り付けられた第１のヒンジ部１２を中心に回転することが可能である。本実施形態では、第１のヒンジ部１２が、図３（Ａ）に示す状態から図３（Ｃ）に示す状態まで１８０度程度回転することが可能であるため、表示部１１を反転させることができる。このため、例えば、ユーザが自分以外を撮影する場合には、図３（Ｃ）に示すように表示部１１を反転させて使用すればよい。このとき、表示部１１の映像が上下反転するのを防ぐために、表示部１１を反転させたときに自動的に表示部１１の映像も上下反転するように制御を行う。例えば、折り畳み式携帯端末１に回転角度センサ（図示せず）を備え、この回転角度センサにより第１のヒンジ部１２の回転角度を検知して表示部１１の映像の上下反転を行えばよい。【００２６】
また、前述したように、第２のヒンジ部２４は３６０度程度回転することが可能であるため、表示部１１及び操作部２１を内側にして閉じた状態から、３６０度開いた状態、すなわち表示部１１及び操作部２１を外側にして閉じた状態にすることが可能となる。このため、ユーザが自分以外を撮影する場合には、さらにこの３６０度開いた状態のデジタルカメラのスタイルで使用することも可能となる。これについては後述の図４で詳細に説明する。図３（Ａ）又は図３（Ｃ）に示す状態で撮影を行う場合、撮影時に使用するシャッターボタンなどのカメラ操作は、操作ボタン２３もしくは操作部２１を使用する。【００２７】
図４（Ａ）乃至図４（Ｃ）は、図１に示した折り畳み式携帯端末１を閉じた状態で側面から見た概観図である。通常使用しないときは、図４（Ａ）に示すように表示部１１，操作部２１、カメラ２２を内側にして閉じればよい。このように閉じることで、ユーザが折り畳み式携帯端末１を持ち運ぶ時などに表示部１１やカメラ２２を傷つける恐れはなく、また誤って操作部２１を押してしまうこともない。【００２８】
また、折り畳み式携帯端末１を開けずに着信情報や時刻情報などを確認したい場合は、図４（Ｃ）に示すように、表示部１１を反転させて閉じればよい。このように構成することで、従来の折り畳み式携帯端末が備えていたサブ液晶画面の代わりになる。通常、表示部１１の画面サイズは大きく構成されているため、サブ液晶画面の代わりに使用する場合には、表示部１１の表示領域の一部を使用して表示するようにすれば消費電力の低減につながる。また、折り畳み式携帯端末１にテレビ機能が付加されている場合、テレビを見るためのスタイルとしては、図４（Ｃ）に示すように、表示部１１を反転させて閉じ、表示部１１を横にしたスタイルで見ることが可能である。このように閉じた状態、すなわちコンパクトなスタイルでテレビを見ることが可能となる。また、チャネル切り替えなどの操作は、操作ボタン２３を使用することが可能である。【００２９】
また、デジタルカメラのスタイルで使用したい場合には、図４（Ｂ）に示すように表示部１１、操作部２１（及びカメラ２２）の両方を外側にして閉じる。換言すると、図４（Ａ）に示す状態から表示部１１を３６０度開いたスタイルで使用することが可能である。このようにすることにより、カメラ２２から入ってきた映像をそのまま表示部１１に映し出すことができ、デジタルカメラのスタイルとして使用可能となる。シャッターボタンなどのカメラ操作は操作ボタン２３を使用すればよい。また、外側に出ている操作部２１をカメラ操作に使用することも可能である。【００３０】
また、図４（Ｂ）に示すスタイルでテレビを見ることも可能で、このスタイルでは操作部２１が外側に出ているため、この操作部２１をテレビ操作に使用することが可能となる。但し、誤って操作部２１の操作ボタンを押してしまう恐れがあるため、テレビだけを見る場合は図４（Ｂ）もしくは図４（Ｃ）に示すスタイルを状況により使い分けすればよい。【００３１】
さらに、図４（Ｂ）に示すスタイルで閉じておくと、操作部２１が常に外側に出ている状態になるため、この状態で様々な操作が可能となる。例えば、着信，通話などわざわざ折り畳み式携帯端末１を開く必要がなく、閉じたままで行うことが可能となる。また、後述する第３の実施形態において説明する図８（Ａ）に示すようなスタイルで台上に置いて、テレビを見たり、置時計などに利用したりすることが可能となる。【００３２】
（第２の実施形態）
図５は、本発明の第２の実施形態に係る折り畳み式携帯端末１の概観図である。第１の実施形態における折り畳み式携帯端末１の構造と異なる点は、カメラ２５が操作部側筐体２０の操作部２１と反対側の面に取り付けられている点で、その他は第１の実施形態における折り畳み式携帯端末１と同じ構造となっている。
図６（Ａ）乃至図６（Ｃ）は、図５に示した折り畳み式携帯端末１を閉じた状態で側面から見た概観図である。第１の実施形態の折り畳み式携帯端末１とはカメラ２５の位置が異なっているため、カメラの使用時に使用形態が異なってくる。本実施形態において、デジタルカメラのスタイルで使用する場合には、図６（Ｃ）に示すように表示部１１を外側にし、操作部２１を内側にして閉じる。これにより、カメラ２５から入ってきた映像をそのまま表示部１１に映し出すことができ、デジタルカメラのスタイルで使用可能となる。シャッターボタンなどのカメラ操作は第１の実施形態と同様に操作ボタン２３を使用すればよい。本実施形態では使用する必要のない操作部２１を内側にして隠すことにより、不慣れなユーザに対して操作面での紛らわしさを与えないように配慮されている。【００３３】
また、ユーザが自分自身の撮影や、手に持ってテレビ電話を使用する場合などには、閉じた状態から操作部側筐体２０に対して表示部側筐体１０を１８０度程度の回転角度で開き、表示部１１を操作部２１と反対側に反転させたスタイルで使用する。このようにすることにより、カメラ２５を自分自身に向けながら、その映像を同時に表示部１１で確認することができ、テレビ電話などが可能となる。このとき、第１の実施形態と同様に、表示部１１の映像が上下反転するのを防ぐために、反転したときに自動的に表示部１１の映像も上下反転するよう制御を行う。カメラ２５を使用する以外の使用スタイルについては、第１の実施形態と同様である。【００３４】
（第３の実施形態）
図７は、本発明の第３の実施形態に係る折り畳み式携帯端末１の概観図である。第１の実施形態及び第２の実施形態における折り畳み式携帯端末１との違いは、操作部側筺体２０の上端部に、第２のヒンジ部２４が備える第２の回転軸に平行な回転軸を有するカメラ２６が取り付けられている点である。このカメラ２６は回転軸を中心に１８０度程度回転可能である。その他は第１の実施形態及び第２の実施形態に示した折り畳み式携帯端末１と同じ構造となっている。尚、カメラ２６は、表示部側筐体１０側に取り付けるようにしてもよい。【００３５】
カメラ２６は回転可能であるため、操作部側筺体２０の操作部２１側に向けたり、操作部２１と反対側に向けたりすることが可能となる。このため、カメラ２６を操作部２１側に向けたときには第１の実施形態に示した折り畳み式携帯端末１と同様なスタイルで、操作部２１の反対側に向けたときには第２の実施形態に示した折り畳み式携帯端末１と同様なスタイルでの使用が可能となる。また、カメラ２６の回転角度を様々な位置で保持して使用することで、様々なスタイルでの使用が可能となる。【００３６】
図８（Ａ）及び図８（Ｂ）は、折り畳み式携帯端末１の使用スタイルの一例を示した図である。図８（Ａ）は、本実施形態の折り畳み式携帯端末１を手に持たずに台３０の上に置いてテレビ電話などをするときのスタイルを示した図である。折り畳み式携帯端末１を台３０の上に置いてテレビ電話をするときには、カメラ２６を設けた操作部側筺体２０を台３０の上に載せ、テレビ電話の使用者は表示部１１と向かい合い、カメラ２６を適当に回転させて使用者の方向に向ける。このとき、図８（Ａ）に示すように、表示部１１が操作部２１に対して反転した状態で任意の回転角度で保持されているため、第１の実施形態に示した折り畳み式携帯端末１と同様に表示部１１の映像を上下反転するよう制御を行う。また、図８（Ａ）に示すように、操作部２１側の面を上にして台３０に置くことができるため、使用者はテレビ電話中に折り畳み式携帯端末１を台３０に置いたまま、様々な操作を行うことが可能となる。【００３７】
また、図８（Ａ）に示すように、テレビ機能を付加した折り畳み式携帯端末１は、小型の置きテレビとして使用するようにしてもよい。さらには、折り畳み式携帯端末１を置時計などにも使用することができる。
図８（Ｂ）は、折り畳み式携帯端末１の操作部２１を内側に畳み込んだ状態でデジタルカメラのスタイルで使用する例を示した図である。本実施形態では、操作部２１を内側にして畳み込むスタイルを示しているが、操作部２１を外側にして畳み込むスタイルも可能である。尚、本実施形態の折り畳み式携帯端末１の使用方法は、第１の実施形態及び第２の実施形態と同様である。【００３８】
本発明によると、折り畳み式携帯端末において、表示部を外側に出して閉じることが可能であるため、サブ表示部やサブカメラ等が不要になり、従来の端末に比べて端末サイズの小型化やコスト面で有利となる。
また、折り畳み式携帯端末の操作部を外側に出して閉じることが可能であるため、着信，通話など閉じたままの操作が可能となる。また、操作部を外側に出して閉じることによってユーザが誤って操作してしまう場合がある。これを防止するために、操作部のみを内側にして（表示部は外側又は内側にして）閉じることもできる。【００３９】
また、折り畳み式携帯端末が置きテレビや置き時計等にもなり、さらには回転カメラを装備すれば台上に置いたままテレビ電話等が可能となる。折り畳み式携帯端末の操作部側筐体を台上に置いたとき、操作部を操作可能なように上にして台に設置することができるため、折り畳み式携帯端末を台に置いたまま着信，通話等の各種操作や、チャンネル切り替え操作等を行うことができる。
【図１】
0004162683.tif 000002
【図２】
0004162683.tif 000003
【図３】
0004162683.tif 000004
【図４】
0004162683.tif 000005
【図５】
0004162683.tif 000006
【図６】
0004162683.tif 000007
【図７】
0004162683.tif 000008
【図８】
0004162683.tif 000009